(57)【特許請求の範囲】
【請求項１】
遊技機の前面を下皿が含まれる下部領域と遊技領域を臨ませる窓が含まれる上部領域とに区分し、
前記上部領域の前記窓より外側のほぼ全域の前面に設けられた貼着部は少なくとも一部が膨出しており、
前記貼着部を各々が略平面である複数の分割貼着部に区分し、各分割貼着部毎に該分割貼着部の輪郭形状に合致させた形状で印刷によって着色されたデザインシートを引き剥がし可能に貼着し、
前記デザインシートの貼り替えにより前記上部領域の前面のデザインを変更可能とし、
前記貼着部に貼着されたデザインシートの縁部を覆って引き剥がしを防止する引き剥がし防止手段を前記窓が設けられた前面枠の裏側から前記前面枠にねじ止めし、前記前面枠の裏側からの操作でのみ前記引き剥がし防止手段を着脱可能にした
ことを特徴とする遊技機。
【請求項２】
請求項１記載の遊技機において、
前記下部領域は上皿及び下皿が含まれる領域であることを特徴とする遊技機。
【発明の詳細な説明】
【技術分野】
【０００１】
本発明は、遊技機の技術分野に属する。
【背景技術】
【０００２】
遊技機、例えばパチンコ遊技機は、その前面部分をプラスチック成形品とすることが多く、２〜３年の周期でデザイン変更されるのが普通である。これは、一旦デザインされ製造されると、金型が高価であったり、成形品の新たな設計に時間がかかること等から、上のような周期になっているのが実状である。
【特許文献１】特開２００１−１０４５４６号公報
【発明の開示】
【発明が解決しようとする課題】
【０００３】
しかしながら、１つのデザインが２〜３年も使用されるのであるから、当初は斬新性を有していても次第に飽きられることになる。かといって、半年や１年の周期でデザイン変更することは、上記の理由から難しかった。
【課題を解決するための手段】
【０００５】
請求項１記載の遊技機は、遊技機の前面を下皿が含まれる下部領域と遊技領域を臨ませる窓が含まれる上部領域とに区分し、前記上部領域の前記窓より外側のほぼ全域の前面に設けられた貼着部は少なくとも一部が膨出しており、前記貼着部を各々が略平面である複数の分割貼着部に区分し、各分割貼着部毎に該分割貼着部の輪郭形状に合致させた形状で印刷によって着色されたデザインシートを引き剥がし可能に貼着し、前記デザインシートの貼り替えにより前記上部領域の前面のデザインを変更可能とし、前記貼着部に貼着されたデザインシートの縁部を覆って引き剥がしを防止する引き剥がし防止手段を前記窓が設けられた前面枠の裏側から前記前面枠にねじ止めし、前記前面枠の裏側からの操作でのみ前記引き剥がし防止手段を着脱可能にしたので、デザインシートを貼り替えるだけでデザインを変更できる。
【０００６】
したがって、請求項１記載の遊技機は、デザイン変更に当たって新たな設計を行って新たな金型を製造し成形する必要がなくなる。
このため、デザイン変更に要する時間はきわめて短くなり、また機動的にデザイン変更できるから、例えば機種や遊技内容に応じた前面デザインにしたり、季節や時期等に合わせて衣替えするように前面デザインを変更することが可能になる。
【０００７】
また、前面デザインの変更（デザインシートの貼り替え）に際して廃棄されるのは古いデザインシートだけであり、遊技機本体（少なくとも前面を形成する部材）はそのまま使用できる。よって、資源の有効利用となり廃棄物が極めて少量になる。
【０００８】
下部領域と上部領域とは下皿側と窓側との区分であるが、請求項２記載のように、下部領域は上皿及び下皿が含まれる領域とすれば、遊技機の前面がほぼ上下均等に２分割されるし、受皿（上皿、下皿）がある部分と窓がある部分とに分かれるのでバランスがよい。
【００１１】
請求項１記載の遊技機では、貼着部は少なくとも一部が膨出しており、その貼着部を各々が略平面である複数の分割貼着部に区分し、各分割貼着部毎に該分割貼着部の輪郭形状に合致させた形状で印刷によって着色されたデザインシートを引き剥がし可能に貼着するから、１枚のデザインシートのサイズを小さくすることができ、貼りやすくなる。
【００１２】
しかも、デザインシートが貼着される分割貼着部は略平面であるから、デザインシートの密着性がより良好になり、貼り付けやすさも向上する。なお、略平面というのは実用上平面と同等な面、例えば曲率が極めて大きい曲面等も含む概念であり、具体的には任意の場所における長さ１０ｃｍ当たりの凸高さ又は凹深さが５ｍｍ程度以下である。
【００１３】
請求項１記載の遊技機であれば、全体として立体構造となる遊技機の前面を略平面の分割貼着部に区分して、各分割貼着部毎にデザインシートを貼着することができるので、遊技機の立体構造に良好に追随できる。
【００１４】
請求項１又は２記載の遊技機に使用されるデザインシートはシート或いはフィルム状であれば材質は問わないが、機械的な強度や傷つき難さ、扱い易さ等を考慮するとプラスチック製とするのが望ましい。
【００１５】
デザインシートは、単に着色（例えば一色とか二色程度に着色）下だけでもよいが、人物や動物等のいわゆるキャラクタ、風景、物品、商標等のデザインが描かれている方がよい。デザインシートは量産されるのが前提であるから、そうした着色やデザインは印刷にて行うのが好ましい。
【００１６】
デザインシートは、それを透かして裏側を見ることができない程度に不透明であれば、遊技機の前面（厳密には貼着部）を構成する部材として再生プラスチックを使用できるので資源のリサイクルに有益である。
【００１７】
デザインシートは、貼り替えされることが前提であるから、引き剥がし可能に貼着しなければならない。つまり、強力な接着剤を用いることはできない。したがって、粘着剤、デザインシートを引き剥がせる程度の弱い接着剤或いは静電気力による貼り付けが好ましい。但し、接着剤や粘着剤による貼着力は、デザインシート及び貼着部の材質によって変化するので、実施に当たってはデザインシート及び貼着部の材質と相性の良い（本発明の目的に添う貼着力となる）接着剤や粘着剤を実験などで選択してから使用するのが望ましい。
【００１８】
また、貼着部のデザインシートが貼着される面を滑らかな面にすれば、デザインシートの密着性が良好になる。また貼り付けやすくもなる。
請求項１又は２に記載の遊技機においては、前記貼着部に貼着されたデザインシートの縁部を覆って引き剥がしを防止する剥がし防止手段を備えているので、悪戯などによるデザインシートの引き剥がしを防止できる。また、デザインシートの貼り替えに際しては、引き剥がし防止手段を遊技機から外して貼り替え作業を行ってから再び装着すればよい。
請求項１又は２に記載の遊技機においては、この引き剥がし防止手段は、前面枠の裏側から前面枠にねじ止めし、前面枠の裏側からの操作でのみ着脱可能にしてあるので、遊技機の前面側からは引き剥がし防止手段を取り外せない。
【発明を実施するための最良の形態】
【００１９】
次に、いくつかの実施例により発明の実施の形態を説明する。
［実施例１］
図１（ａ）に示すように遊技機の一種であるパチンコ機１０は、外枠１１及びプラスチック製の前面枠１２を備えている。前面枠１２は、図示省略のヒンジにて外枠１１と連結されており扉状に開閉できる。前面枠１２には遊技盤（図示せず）の遊技領域を臨ませる窓１３が設けられており、窓１３にはガラス板がはめ込まれている。窓１３の下方には発射装置に供給するための遊技球を貯留し、また賞球として払出された遊技球を受け入れる上皿１４が配されて前面枠１２に保持されている。また、上皿１４の下方には、上皿１４が満杯状態のときに賞球として払出された遊技球を受け入れるための下皿１５、発射装置を操作するための発射ハンドル１６、灰皿１７等からなる下皿ユニット１８が前面枠１２に取り付けられている。
【００２０】
前面枠１２の前面部分は、窓１３、上皿１４及び下皿ユニット１８を除いてほぼ平面状で滑らかあり、平面上の部分が貼着部２０となる。
貼着部２０は上皿１４よりも上側になる上部領域２０ａとこれよりも下側になる下部領域２０ｂに区分でき、それぞれ図１（ｂ）に示す形状のデザインシート２１ａ、２１ｂを貼着可能である。
【００２１】
デザインシート２１ａは横が前面枠１２の横幅にほぼ整合し、縦が上部領域２０ａの高さ（下部領域２０ｂとの境界となる上皿１４の上端〜前面枠１２の上辺の距離）に整合する長方形で、中央部分は窓１３の外形に対応する円形の窓孔２２として切り抜かれている。つまり、上部領域２０ａに整合する形状である。
【００２２】
デザインシート２１ｂの形状は凹字状で、横が前面枠１２の横幅にほぼ整合し、縦が下部領域２０ｂの高さ（上部領域２０ａとの境界となる上皿１４の上端〜前面枠１２の下辺の距離）に整合する。また、内側の切り取り部２３の輪郭線は、上皿１４及び下皿ユニット１８の輪郭に沿っている。すなわち、下部領域２０ｂに整合する形状である。
【００２３】
なお図示は省略しているが、デザインシート２１ａ、２１ｂにはパチンコ機１０の遊技盤のデザインと調和のとれたデザインが印刷されている。また、裏面には粘着剤が塗布されている。
【００２４】
デザインシート２１ａは、図１（ｃ）に示すように、窓孔２２を窓１３に対応させ、左右及び上辺をそれぞれ前面枠１２の各辺に対応させて上部領域２０ａに貼着され、デザインシート２１ｂは図１（ｄ）に示すように、切り取り部２３を上皿１４及び下皿ユニット１８の輪郭に沿わせ、左右及び下辺をそれぞれ前面枠１２の各辺に対応させて下部領域２０ｂに貼着される。デザインシート２１ａ、２１ｂは両方とも貼着してもよいし、いずれ
か一方だけを対応の領域に貼着して他方の領域は前面枠１２の地のままにしてもよい。
【００２５】
なお、図２に模式的（寸法関係等は正確ではない）に示すように、デザインシート２１ａ又はデザインシート２１ｂが貼着される上部領域２０ａ又は下部領域２０ｂの周囲に縁取り部１２ａを設けて、上部領域２０ａ又は下部領域２０ｂが縁取り部１２ａより凹陥している。その凹陥深さは、デザインシート２１ａ、２１ｂの厚みをわずかに上回るが、デザインシート２１ａ、２１ｂの厚さは０．３ｍｍ〜０．５ｍｍ程度であるから、遊技者には縁取り部１２ａとデザインシート２１ａ、２１ｂとの段差は感じられない（一連と感じられる）。
【００２６】
このように、パチンコ機１０は、前面枠１２の前面部分に設けられた貼着部２０（上部領域２０ａ、下部領域２０ｂ）にデザインシート２１ａ、２１ｂを貼着でき、またデザインシート２１ａ、２１ｂを貼り替えできるので、デザインシート２１ａ、２１ｂを貼り替えるだけでデザインを変更できる。
【００２７】
したがって、デザイン変更に当たって新たな設計を行い、新たな金型を製造し、新たな前面枠１２を成形する必要がなくなる。このため、デザイン変更に要する時間はきわめて短くなり、また機動的にデザイン変更できるから、例えば機種や遊技内容に応じた前面デザインにしたり、季節や時期等に合わせて衣替えするように前面デザインを変更することが可能になる。
【００２８】
前面デザインの変更（デザインシート２１ａ、２１ｂの貼り替え）に際して廃棄されるのは古いデザインシートだけであり、パチンコ機１０本体（少なくとも前面枠１２）はそのまま使用できる。よって、資源の有効利用となり廃棄物が極めて少量になる。
【００２９】
また、このパチンコ機１０は、前面部分を下皿１５が含まれる下部領域２０ｂと遊技領域を臨ませる窓１３が含まれる上部領域２０ａとに区分し、上部領域２０ａの窓１３より外側のほぼ全域を貼着部（上部領域２０ａ）として、そこに貼着されるデザインシート２１ａの形状を上部領域２０ａの輪郭形状に合致させたので、上部領域２０ａの面積が大きく、デザインシート２１ａによるデザイン効果が大きい。
【００３０】
貼着部２０（上部領域２０ａ、下部領域２０ｂ）は、その周囲の縁取り部１２ａよりもデザインシート２１ａ、２１ｂの厚みをわずかに上回る程度に凹陥しているので、貼着部２０に貼られたデザインシート２１ａ、２１ｂが周囲から突出しない。これにより、デザインシート２１ａ、２１ｂの表面と周囲の面（縁取り部１２ａ）とをほぼ一連にできるから美観が損なわれず、また悪戯により剥がされにくい。しかも、凹陥による段差部分が貼着部２０の輪郭となるので貼着時の位置合わせが容易となり貼着作業を行い易くなる。
【００３１】
なお、上部領域２０ａと下部領域２０ｂとの境界部分では、縁取り部１２ａを設けずに、両領域を一連にしても構わない。
貼着部２０を複数の分割貼着部（上部領域２０ａと下部領域２０ｂ）に区分し、領域毎にデザインシート２１ａ、２１ｂを貼着可能としたので、１枚のデザインシート２１ａ、２１ｂのサイズを小さくすることができ、貼りやすくなる。
【００３２】
貼着部２０のデザインシート２１ａ、２１ｂが貼着される面は滑らかな面であるから、デザインシート２１ａ、２１ｂの密着性が良好になる。また貼り付けやすくもなる。しかも、デザインシート２１ａ、２１ｂが貼着される面はほぼ平面であるから、デザインシート２１ａ、２１ｂの密着性がより良好になり、貼り付けやすさも向上する。
［実施例２］
この例は１枚のデザインシートを使用する例である。遊技機であるパチンコ機１０の構成は実施例１と同じであるからその説明は省略する。
【００３３】
デザインシート２５は、図３（ｂ）に示すように、横が前面枠１２の横幅にほぼ整合し、縦が前面枠１２の高さに整合する長方形で、上部には実施例１のデザインシート２１ａと同様の窓孔２２が設けられている。また、下部にはデザインシート２１ｂの切り取り部２３に相当する下部孔２４が設けられている。ただし、切り取り部２３の上端が開放されているのに対して下部孔２４は閉じている点が異なる。
【００３４】
なお、デザインシート２５にはパチンコ機１０の遊技盤のデザインと調和のとれたデザインが印刷されており、裏面には粘着剤が塗布されている。
デザインシート２５は、図３（ｃ）に示すように、窓孔２２を窓１３に対応させ、下部孔２４を上皿１４及び下皿ユニット１８の輪郭に沿わせ、左右上下の各辺をそれぞれ前面枠１２の各辺に対応させて貼着部２０に貼着される。
【００３５】
この実施例でも、貼着部２０の周囲には図２に示される縁取り部１２ａが設けられており、貼着部２０は縁取り部１２ａより凹陥している。その凹陥深さは、デザインシート２５の厚みをわずかに上回るが、デザインシート２５の厚さは０．３ｍｍ〜０．５ｍｍ程度であるから、遊技者には縁取り部１２ａとデザインシート２１ａ、２１ｂとの段差は感じられない（一連と感じられる）。
【００３６】
このように、パチンコ機１０は、前面枠１２の前面部分に設けられた貼着部２０にデザインシート２５を貼着でき、またデザインシート２５を貼り替えできるので、デザインシート２５を貼り替えるだけでデザインを変更できる。
【００３７】
したがって、デザイン変更に当たって新たな設計を行い、新たな金型を製造し、新たな前面枠１２を成形する必要がなくなる。このため、デザイン変更に要する時間はきわめて短くなり、また機動的にデザイン変更できるから、例えば機種や遊技内容に応じた前面デザインにしたり、季節や時期等に合わせて衣替えするように前面デザインを変更することが可能になる。
【００３８】
前面デザインの変更（デザインシート２５の貼り替え）に際して廃棄されるのは古いデザインシートだけであり、パチンコ機１０本体（少なくとも前面枠１２）はそのまま使用できる。よって、資源の有効利用となり廃棄物が極めて少量になる。
【００３９】
貼着部２０は、その周囲の縁取り部１２ａよりもデザインシート２５の厚みをわずかに上回る程度に凹陥しているので、貼着部２０に貼られたデザインシート２５が周囲から突出しない。これにより、デザインシート２５の表面と周囲の面（縁取り部１２ａ）とをほぼ一連にできるから美観が損なわれず、また悪戯により剥がされにくい。しかも、凹陥による段差部分が貼着部２０の輪郭となるので貼着時の位置合わせが容易となり貼着作業を行い易くなる。
【００４０】
貼着部２０のデザインシート２５が貼着される面は滑らかな面であるから、デザインシート２５の密着性が良好になる。また貼り付けやすくもなる。しかも、デザインシート２５が貼着される面はほぼ平面であるから、デザインシート２５の密着性がより良好になり、貼り付けやすさも向上する。
［引き剥がし防止手段］
【００４１】
実施例１、２で説明したパチンコ機１０において、次に例示するような引き剥がし防止
手段を採用することができる。
［引き剥がし防止手段例１］
図４（ａ）、（ｂ）に示すように、引き剥がし防止手段に該当する外周枠３１は、実施例１の上部領域２０ａの外形に対応する長方形の額縁状で、プラスチック製である。
【００４２】
外周枠３１の裏面３１ａ側にはビス３２用の穴が設けられていて、裏面３１ａ側から複数のビス３２をねじ込み可能（この例では四隅に各１本）である。ビス用の穴は外周枠３１を貫通してはおらず（盲管であり）、ビス３２は表面３１ｂには突出しない。また、図示は省略するが前面枠１２には外周枠３１のビス用の穴に対応する位置にビス用貫通穴が設けられている。尚、図４はビス３２の位置等を明瞭に示すために一部透視の状態で示している。
【００４３】
これにより、前面枠１２を開放して、その裏面側からビス３２を挿通させて外周枠３１のビス３２用の穴に螺入することにより、外周枠３１を前面枠１２の前面に密着状態で取付できる。また、ビス３２を抜けば外周枠３１を前面枠１２から取り外せる。
【００４４】
実施例１で説明したようにデザインシート２１ａを上部領域２０ａに貼着してから（図４（ｃ）参照）、上述のようにして外周枠３１を取り付ければ（図４（ｄ）参照）、外周枠３１がデザインシート２１ａの縁部を覆ってしまうので、悪戯などによるデザインシート２１ａの引き剥がしを防止できる。また、デザインシート２１ａの貼り替えに際しては、一旦外周枠３１を取り外して、貼り替え作業を行ってから再び装着すればよい。
【００４５】
この外周枠３１をパチンコ機１０に装着するためのビス３２は、パチンコ機１０の使用時には隠されてしまう前面枠１２の裏面側からでなければ抜き取り操作できないので、悪戯などで外周枠３１が取り外されるおそれはない。
［引き剥がし防止手段例２］
図５（ａ）、（ｂ）に示すように、引き剥がし防止手段に該当する窓周枠３５は、実施例１、２の窓１３の外形に対応する円形額縁状で、プラスチック製である。
【００４６】
窓周枠３５の裏面３５ａ側にはビス３２用の穴が設けられていて、裏面３５ａ側から複数のビス３２をねじ込み可能（この例では９０度ピッチで４本）である。ビス用の穴は窓周枠３５を貫通してはおらず（盲管であり）、ビス３２は表面３５ｂには突出しない。また、図示は省略するが前面枠１２には窓周枠３５のビス用の穴に対応する位置にビス用貫通穴が設けられている。尚、図５はビス３２の位置等を明瞭に示すために一部透視の状態で示している。
【００４７】
これにより、前面枠１２を開放して、その裏面側からビス３２を挿通させて窓周枠３５のビス３２用の穴に螺入することにより、窓周枠３５を前面枠１２の前面に密着状態で取付できる。また、ビス３２を抜けば窓周枠３５を前面枠１２から取り外せる。
【００４８】
実施例２で説明したようにデザインシート２５を貼着部２０に貼着してから（図５（ｃ）参照）、上述のようにして窓周枠３５を取り付ければ（図５（ｄ）参照）、窓周枠３５がデザインシート２５の窓１３添いの縁部を覆ってしまうので、悪戯などによるデザインシート２５の引き剥がしを防止できる。また、デザインシート２５の貼り替えに際しては、一旦窓周枠３５を取り外して、貼り替え作業を行ってから再び装着すればよい。
【００４９】
この窓周枠３５をパチンコ機１０に装着するためのビス３２は、パチンコ機１０の使用時には隠されてしまう前面枠１２の裏面側からでなければ抜き取り操作できないので、悪戯などで窓周枠３５が取り外されるおそれはない。
【００５０】
図５（ｃ）、（ｄ）に示したのは、窓周枠３５を実施例２に適用した例であるが、実施例１にも適用できることは言うまでもない。
［引き剥がし防止手段例３］
図６（ａ）に示すように、引き剥がし防止手段に該当する外周枠３７は、実施例１、２の貼着部２０の外形に対応する長方形の額縁状で、プラスチック製である。
【００５１】
外周枠３７の裏面３７ａ側にはビス３２用の穴が設けられていて、裏面３７ａ側から複数のビス３２をねじ込み可能（この例では四隅に各１本）である。ビス用の穴は外周枠３７を貫通してはおらず（盲管であり）、ビス３２は外周枠３７の表面には突出しない。また、図示は省略するが前面枠１２には外周枠３７のビス用の穴に対応する位置にビス用貫通穴が設けられている。尚、図６はビス３２の位置等を明瞭に示すために一部透視の状態で示している。
【００５２】
これにより、前面枠１２を開放して、その裏面側からビス３２を挿通させて外周枠３７のビス３２用の穴に螺入することにより、外周枠３７を前面枠１２の前面に密着状態で取付できる。また、ビス３２を抜けば外周枠３７を前面枠１２から取り外せる。
【００５３】
実施例２で説明したようにデザインシート２５を貼着部２０に貼着してから（図６（ｂ）参照）、上述のようにして外周枠３７を取り付ければ（図６（ｃ）参照）、外周枠３７がデザインシート２５の縁部を覆ってしまうので、悪戯などによるデザインシート２５の引き剥がしを防止できる。また、デザインシート２５の貼り替えに際しては、一旦外周枠３７を取り外して、貼り替え作業を行ってから再び装着すればよい。
【００５４】
この外周枠３７をパチンコ機１０に装着するためのビス３２は、パチンコ機１０の使用時には隠されてしまう前面枠１２の裏面側からでなければ抜き取り操作できないので、悪戯などで外周枠３７が取り外されるおそれはない。
【００５５】
図６（ｃ）に示したのは、外周枠３７を実施例２に適用した例であるが、実施例１にも適用できることは言うまでもない。
以上、実施例等にしたがって本発明の実施の形態を説明したが、本発明はこれらの例に限定されるものではない。
【００５６】
例えば、前面枠１２が全体として立体構造（一部が膨出等する場合）となる場合、略平面の各部毎に分割し（分割貼着部）、分割した部分毎の形状に合ったデザインシートを貼着するよう構成してもよい。
【図面の簡単な説明】
【００５７】
【図１】実施例１のパチンコ機の説明図。
【図２】貼着部の凹陥状態を説明するための模式図。
【図３】実施例２のパチンコ機の説明図。
【図４】引き剥がし防止手段例１の説明図。
【図５】引き剥がし防止手段例２の説明図。
【図６】引き剥がし防止手段例３の説明図。
【符号の説明】
【００５８】
１０ パチンコ機（遊技機）
１２ 前面枠
１２ａ 縁取り部
１３ 窓
１４ 上皿
１５ 下皿
１８ 下皿ユニット
２０ 貼着部
２０ａ 上部領域
２０ｂ 下部領域
２１ａ デザインシート
２１ｂ デザインシート
２５ デザインシート
３１ 外周枠（引き剥がし防止手段）
３２ ビス
３５ 窓周枠（引き剥がし防止手段）
３７ 外周枠（引き剥がし防止手段）
【図１】
0004478759.tif 000002
【図２】
0004478759.tif 000003
【図３】
0004478759.tif 000004
【図４】
0004478759.tif 000005
【図５】
0004478759.tif 000006
【図６】
0004478759.tif 000007